(57)【特許請求の範囲】
【請求項１】
ライトプロテクトノッチが設けられたテープカセットを使用した磁気記録再生装置であって、
テープ若しくはテープ及び他の記憶手段に、属性情報として少なくともカセットのローディング回数、上書き回数、エラーログデータを含むシステムログが書き込めるようになされると共に、
上記テープのみを用いて属性情報を記録するときで、上記ライトプロテクトノッチがライトプロテクト側にセットされているときは、上記テープのシステムログエリアに対するライトプロテクトは解除して、上記テープに書き込まれる上記属性情報を更新して再記録できるようにすると共に、
上記テープ及び上記他の記憶手段に属性情報を記録するときで、上記ライトプロテクトノッチがライトプロテクト側にセットされているときは、上記他の記憶手段に書き込まれる上記属性情報を更新して再記録できるようにしたことを特徴とする磁気記録再生装置。
【請求項２】
テープクリーニング装置が設けられ、
上記属性情報に基づいて磁気ヘッドのクリーニングのタイミングを判断するようにしたことを特徴とする請求項１記載の磁気記録再生装置。
【請求項３】
上記他の記憶手段としては、カセット内に上記テープとは別に設けられた補助記憶手段であって、
上記カセットの外側よりアクセスできるようになされたメモリＩＣであることを特徴とする請求項１記載の磁気記録再生装置。
【発明の詳細な説明】
【０００１】
【発明の属する技術分野】
この発明はヘッドクリーニング装置を内蔵した磁気記録再生装置に関する。詳しくは、特にデータの再書き込みができないようなライトプロテクト機能を有するテープカセットを使用する磁気記録再生装置にあって、その磁気ヘッドのヘッドクリーニングを行うに当たり、記録情報のうち本来のデータとは関係しない属性情報に基づいてヘッドクリーニングを行うようにすると共に、この属性情報に関してはライトプロテクトモードに関係なく再書き込みができるようにしてその属性情報だけで正しいヘッドクリーニングを実行できるようにしたものである。
【０００２】
【従来の技術】
コンピュータデータを保存するためなどの目的のために使用されるテープカセット（テープストリーマ）では、データをエラーなく記録再生（書き込みおよび読み出し）できるようにするため磁気記録再生装置には磁気ヘッドのクリーニング装置が設けられている場合が多い。
【０００３】
ヘッドクリーニングは適切なタイミングで行う必要がある。ヘッドクリーニングが過多であるとヘッドの磨耗が早くなりヘッド寿命を短くしてしまうし、ヘッドクリーニングが過小であると、ヘッドの汚れのためデータを正しく記録再生するのに支障を来す恐れがあるからである。ヘッドクリーニングが適切でないときには、磁気ヘッドのクリーニングを行うクリーニングローラを作動させるプランジャの寿命にも影響を及ぼすことが考えられる。
【０００４】
そのため、適切なタイミングにヘッドクリーニング処理を行う必要がある。磁気ヘッドの汚れは一般には使用するカセットテープの状況に依存する場合が多いと言われている。それはテープの装置に対するローディング回数が多ければそれだけテープ自身の損傷が激しくなり、これに基づいて磁気ヘッドの汚れも増すと考えられるからである。
【０００５】
同様に、データの上書き回数やエラーの発生頻度（エラーログ）などもヘッド汚れを判断する要因となる。例えばエラー発生頻度が多いときにはそれだけヘッドが汚れていると考えられるからである。
【０００６】
したがってヘッドのクリーニングタイミングはこのようなテープ使用状況を考慮して決定した方がよい。テープ使用状況を判断する要因の代表例としては上述したように、テープのローディング回数、上書き回数、エラー回数（以下これらの要因を総称してシステムログという）である。
【０００７】
システムログの内容は通常テープに本来のデータと共にその属性データ（属性情報）として保存される。システムログはデータを記録するデータフォーマットの中にシステムログエリアを設け、ここに記録しておくことができる。こうすることによってテープカセットが装置にローディングされたときシステムログエリアを参照することによってテープの使用頻度を算出できる。
【０００８】
テープカセットとしてその内部に補助記憶手段を内蔵した構造例えば不揮発性メモリを使用した記憶手段（メモリ・イン・カセットＭＩＣ：詳細は後述する）のものもあるが、このようなメモリ内蔵のテープカセットの場合には、テープではなくこのメモリにシステムログの内容を記録することもできる。
【０００９】
【発明が解決しようとする課題】
ところで、これらテープカセットには、記録されたデータを消去できないいわゆるライトプロテクト機能のついたものがある。ライトプロテクト状態になっていると、データの読み出しはできるがその再書き込み（再記録）はできない。属性情報も再記録できない。これはＭＩＣカセットの場合も同じである。
【００１０】
実際のテープカセットの使用状況を判断すると、テープカセットを使用する場合、常にデータの記録が実行されるとは限らない。データを読み出し、そのデータを利用するだけの場合も以外と多い。これはライトプロテクトモードが働いているテープカセットであっても同じである。
【００１１】
ライトプロテクトモードにセットされているテープカセットを使用する場合には、そのローディング回数が増えたとしてもシステムログの内容は以前と同じで変わらない。ライトプロテクトされる前のログデータそのものである。しかし、上述したようにローディングされ、データの読み出しが行われることによってテープの損傷が多くなると考えられるから、本来ならこのライトプロテクトモード時のローディング回数もヘッドクリーニング決定情報として利用すべきである。
【００１２】
それは、ライトプロテクトモードにセットされていたテープの場合には、ライトプロテクトを解除した段階でヘッドクリーニングしなければならない条件に合致していても、そのときには既にヘッドクリーニングを行う時期を遥かに過ぎているということも起こり得るからである。
【００１３】
そこで、この発明はこのような従来の課題を解決したものであって、ライトプロテクトモードが働いていても、属性情報である少なくとも上述したシステムログ情報だけは再記録ができるようにした磁気記録再生装置を提案するもので、このシステムログ情報を利用することによってヘッドクリーニングを適正なタイミングで実行できるようになる。
【００１４】
【課題を解決するための手段】
上述の課題を解決するため、この発明では、ライトプロテクトノッチが設けられたテープカセットを使用した磁気記録再生装置であって、テープ若しくはテープ及び他の記憶手段に、属性情報として少なくともカセットのローディング回数、上書き回数、エラーログデータを含むシステムログが書き込めるようになされると共に、テープのみを用いて属性情報を記録するときで、ライトプロテクトノッチがライトプロテクト側にセットされているときは、テープのシステムログエリアに対するライトプロテクトは解除して、テープに書き込まれる属性情報を更新して再記録できるようにすると共に、テープ及び他の記憶手段に属性情報を記録するときで、ライトプロテクトノッチがライトプロテクト側にセットされているときは、他の記憶手段に書き込まれる属性情報を更新して再記録できるようにしたことを特徴とする。
【００１５】
この発明では、ライトプロテクトが働いている、働いていないに拘わらず、読み出した属性情報（特にシステムログ情報）をリードライトできるようにして、ライトプロテクトモードが働いていたとしても（セットされていたとしても）、ローディング回数やエラー発生（再生エラー）の回数に応じて更新される。そしてこの更新された属性情報がテープカセットに再記録される。
【００１６】
こうすることによって、システムログ情報はライトプロテクトが働いていてもその都度更新されるから、システムログ情報のうちローディング回数は実際にテープカセットをローディングした回数そのものが反映されているようになる。
【００１７】
したがってシステムログ情報に基づいてヘッドクリーニングタイミングを決定しても、このクリーニング処理を適切に行うことができる。つまり、クリーニング処理が遅すぎてしまうようなことがない。
【００１８】
このようにライトプロテクトモードであっても属性情報が更新できるようにするためには、適用するテープカセットとしてはＭＩＣカセットが好適である。テープへの記録再生処理とは独立して、内蔵メモリへの再書き込みを簡単に行えるからである。
【００１９】
【発明の実施の形態】
続いて、この発明に係る磁気記録再生装置を、ヘッドクリーニング装置を備えたテープストリーマ用磁気記録再生装置に適用した場合について、図面を参照して詳細に説明する。
【００２０】
図６は、この発明に適用できるテープカセットの内部構造を概念的に示したものである。同図に示すテープカセット１の内部にはリール２Ａ及び２Ｂが設けられ、このリール２Ａ及び２Ｂ間にテープ幅８ｍｍの磁気テープ３が巻装される。
【００２１】
図６に示すテープカセット１には上述したように補助記憶手段として機能する不揮発性メモリであるＭＩＣ４が設けられており、このＭＩＣ４のモジュールからは電源端子５Ａ、データ入力端子５Ｂ、クロック入力端子５Ｃ、アース端子５Ｄ等が導出されている。このＭＩＣ４にはテープカセットごとの製造年月日や製造場所、テープの厚さや長さ、材質、磁気テープの使用履歴情報、記録データのための管理情報、ユーザ情報等が記憶される。
【００２２】
例えば、パーティションごとの記録データの管理情報などは、通常のテープストリーマドライブシステムにおいては、例えば磁気テープ上のパーティションの先頭位置などに対して書き込みが行われるものであり、テープストリーマドライブは一旦パーティションの先頭位置の管理情報にアクセスして後に、記録／再生動作に移行するものとされる。
【００２３】
さらに後述するように、カセット１の使用状況を示す各種属性情報がこのＭＩＣ４に記憶される。属性情報はヘッドクリーニングタイミングを決定する判断材料として使用される。
【００２４】
図７はテープカセット１の外観例を示し、筐体全体は上側ケース６、下側ケース７、及びガードパネル８からなり、通常の８ミリＶＴＲに用いられるテープカセットの構成と基本的には同様となっている。このテープカセット１の側面のラベル面９には、端子ピン１０Ａ、１０Ｂ、１０Ｃ、１０Ｄが設けられており、上述したＭＩＣ４の電源端子５Ａ、データ入力端子５Ｂ、クロック入力端子５Ｃ、アース端子５Ｄとそれぞれ接続される。
【００２５】
ＭＩＣ４とは反対側の背面にはライトプロテクトノッチ１６が摺動自在に取り付けられている。このノッチ１６をスライドさせることによってライトプロテクトモードをセットしたり、解除したりすることができる。
【００２６】
図８に示すテープストリーマドライブ装置は、テープ幅８ｍｍのテープカセットを用いて、ヘリカルスキャン方式により磁気テープに対して記録／再生を行うようにされている。
【００２７】
この図において回転ドラム１１には、例えば２つの記録へッド１２Ａ、１２Ｂ及び２つの再生ヘッド１３Ａ、１３Ｂが設けられる。記録ヘッド１２Ａ、１２Ｂは互いにアジマス角の異なる２つのギャップが究めて近接して配置される構造となっている。同様に再生ヘッド１３Ａ及び１３Ｂも互いにアジマス角の異なる２つのギャップが究めて近接して配置される構造となっている。
【００２８】
回転ドラム１１はドラムモータ１４により回転されると共に、テープカセット１から引き出された磁気テープ３が巻き付けられる。ドラムモータ１４は、メカコントローラ１７の制御によって駆動される。メカコントローラ１７ではドラムモータ１４のサーボ制御及びトラッキング制御を行うものとされ、システム全体の制御処理を実行するシステムコントローラ１５と双方向に接続されている。
【００２９】
このテープストリーマドライブ装置においては、データの入出力にＳＣＳＩインタフェースが用いられており、例えばデータ記録時にはホストコンピュータ２５から、後述する固定長のレコード（ｒｅｃｏｒｄ）という伝送データ単位によりＳＣＳＩインタフェース２０を介して逐次データが入力され、圧縮／伸長回路１２１に供給される。
【００３０】
圧縮／伸長回路２１では、入力されたデータについて必要があれば、所定方式によって圧縮処理を施すようにされる。圧縮方式の一例として、例えばＬＺ符号による圧縮方式を採用するのであれば、この方式では過去に処理した文字列に対して専用のコードが割り与えられて辞書の形で格納される。そして、以降に入力される文字列と辞書の内容とが比較されて、入力データの文字列が辞書のコードと一致すればこの文字列データを辞書のコードに置き換えるようにしていく。辞書と一致しなかった入力文字列のデータは逐次新たなコードが与えられて辞書に登録されていく。このようにして入力文字列のデータを辞書に登録し、文字列データを辞書のコードに置き換えていくことによりデータ圧縮が行われるようにされる。
【００３１】
なお、ホストコンピュータ２５からデータが供給される段階において、例えば画像データ等について既に圧縮処理がなされている場合などは、特に圧縮／伸長回路２１により圧縮処理を行う必要はないことから、この場合圧縮／伸長回路２１おいては入力データの圧縮を行わずにそのままデータを出力するようにされる。この圧縮処理を行うか否かの判断は、例えば予めユーザにより設定可能とされていると共に、ＳＣＳＩインタフェース２０を介して入力されたデータをシステムコントローラ１５が参照して圧縮処理の是非を判別するようにもされている。
【００３２】
圧縮／伸長回路２１の出力は、バッファコントローラ２２に供給されるが、バッファコントローラ２２においてはその制御動作によって圧縮／伸長回路２１の出力をバッファメモリ２３に一旦蓄積する。このバッファメモリ２３に蓄積されたデータはバッファコントローラ２２の制御によって、最終的に後述するようにしてグループ（Ｇｒｏｕｐ）という磁気テープの４０トラック分に相当する固定長の単位としてデータを扱うようにされ、このデータがＥＣＣ・変調／復調回路１８に供給される。
【００３３】
ＥＣＣ・変調／復調回路１８では、入力データについてエラー訂正コードを付加すると共に、磁気記録に適合するように入力データについて変調処理を行ってＲＦアンプ１９に供給する。ＲＦアンプ１９で増幅された記録信号は記録ヘッド１２Ａ、１２Ｂに供給されることにより磁気テープ３に対するデータの記録が行われることになる。
【００３４】
また、データ再生動作について簡単に説明すると、磁気テープ３の記録データが再生ヘッド１３Ａ、１３ＢによりＲＦ再生信号として読み出され、その再生出力はＲＦアンプ１９を介してＥＣＣ・変調／復調回路１８に供給されて、復調処理を経た後エラー訂正処理が施される。ＥＣＣ・変調／復調回路１８の復調出力はバッファコントローラ２２の制御によってバッファメモリに一時蓄積され、ここから圧縮／伸長回路２１に供給される。
【００３５】
圧縮／伸長回路２１では、システムコントローラ１５の判断に基づいて、記録時に圧縮／伸長回路２１により圧縮が施されたデータであればここでデータ伸長処理を行い、非圧縮データであればデータ伸長処理を行わずにそのままパスして出力される。
【００３６】
圧縮／伸長回路２１の出力データはＳＣＳＩインタフェース２０を介して再生データとしてホストコンピュータ２５に出力される。
【００３７】
また、この図にはテープカセットの磁気テープ３と共にＭＩＣ４が示されている。このＭＩＣ４はテープカセット本体がテープストリーマドライブに装填されると、図６に示した端子ピンを介してシステムコントローラ１５とデータの入出力が可能なように接続される。また、ＭＩＣ４と外部のホストコンピュータ２５間はＳＣＳＩのコマンドを用いて情報の相互伝送が行われる。このため、特にＭＩＣ４とホストコンピュータ２５間との間に専用のラインを設ける必要はなく、結果的にテープカセットとホストコンピュータ２５とのデータのやりとりは、ＳＣＳＩインタフェースだけで結ぶことができる。
【００３８】
図９は磁気テープ３に記録されるデータフォーマット例である。同図（ａ）にのように１本の磁気テープ３をパーティション（Ｐａｒｔｉｔｉｏｎ）単位で分割して利用され、例えば最大２５６のパーティション数を設定して管理することが可能である。各パーティションには管理番号（パーティション＃０、＃１、＃２、＃３・・・）が付され、パーティションごとにそれぞれ独立してデータの記録／再生等を行うことができる。図９（ｂ）に示す１パーティション内におけるデータの記録単位は、図９（ｃ）に示すグループ（Ｇｒｏｕｐ）といわれる固定長の単位に分割することができ、このグループごとの単位によって磁気テープ３に対する記録が行われる。
【００３９】
この場合、１グループは２０フレーム（Ｆｒａｍｅ）のデータ量に対応し、図９（ｄ）に示すように１フレームは２トラック（Ｔｒａｃｋ）により形成される。従って、１グループは４０トラックにより形成されることになる。
【００４０】
各パーティション毎の静的な履歴を示すシステムログ情報はそのパーティションごとに管理され、図９（b）に示すようにパーティションを構成する最初のグループの前にデバイスエリアとシステムログエリアがそれぞれ設けられ、このシステムログエリアに、そのパーティションに対する読み出し回数、エラーログ、リライト回数などの静的な履歴を示すシステムログ情報がリード・ライトのつど更新される。パーティションの最後にはパーティションの最後を示すＥＯＤが挿入される。
【００４１】
続いてこの発明の一実施態様を、バックアップ用のデータを記録するためのデータストリーマに適用した場合について説明する。
【００４２】
図１は上述したテープストリーマ装置（ドライブ装置）１００にテープクリーニング機構を設けたときのテープ走行系と回転ドラムとの関係を示すもので、回転ドラム１１にはほぼ１８０゜の角間隔で磁気テープ３が巻き付けられる。そのため、カセット１から取り出された磁気テープ３は固定あるいは可動式に構成された複数のテープガイドＧを介してほぼＵ字状に回転ドラム１１に巻き付けられる。
【００４３】
回転ドラム１１に対するテープ進入側には全幅のイレーズヘッド４３が配され、その退出側にはコントロールトラックに対するイレーズヘッド４４とオーディオデータなどに対する記録再生ヘッド４５が配される。磁気テープ３はキャプスタン４１とピンチローラ４２によって矢印のように駆動される。
【００４４】
Ｕ字状に巻き付けられた磁気テープ３の走行を妨げない位置にヘッドクリーニング装置３０が配される。ヘッドクリーニング装置３０には図２に示すようにクリーニングローラ３２が設けられ、これが回転ドラム１１の回転ヘッドに対して圧着、離間するように制御される。
【００４５】
図２は回転ドラム１１とヘッドクリーニング装置３０との関係を示すもので、回転ドラム１１はそれぞれ固定式の上ドラム１１ａ，下ドラム１１ｂを有し、その中間に回転シリンダ１１ｃが配される。この回転シリンダ１１ｃには図８に示したような複数の回転ヘッドが取り付けられている。記録ヘッドに対して先行した隣接位置にそれぞれイレーズヘッドが配される。
【００４６】
ヘッドクリーニング装置３０は図２および図３に示すように、クリーニングローラ３２を有し、これが回転シリンダ１１ｃと所定距離（１〜３ｍｍ位）だけ離れて回動自在に配される。クリーニングローラ３２はシフトレバー３４に取り付けられ、シフトレバー３４は上ドラム１１ａに固定されたベース基板３６の枢軸３８に対して回動自在に取り付けられている。
【００４７】
シフトレバー３４にはその上部切り欠き３４ａにプランジャ４０のピストン４０ａが挿通され、プランジャ４０の付勢によってシフトレバー３４が回動してクリーニングローラ３２が回転シリンダ１１ｃの周面に圧着されるようになされている。シフトレバー３４にはクリーニングローラ３２が離間する方向に付勢するためのバネ（図示はしない）が取り付けられているので、プランジャ４０に対する付勢が解除されると、クリーニングローラ３２は元位置に復帰する。
【００４８】
ＭＩＣ４に記憶された属性情報がコンロトーラに取り込まれ、内蔵された制御プログラムに基づいてクリーニング装置３０が制御される。
【００４９】
カセット１に関する属性情報としては、上述したようにローディング直前までにライトされたグループの回数を始めとして、現時点でライトされたグループの回数、リードされたグループの回数、ローディング回数（パーティションの使用回数）、上書き回数（パーティションのライト回数）、ＩＤ番号、エラーログ（リライトされたフレーム数、ＥＣＣが動作した回数）などである。
【００５０】
このうちヘッドをクリーニングすべき情報として使用できるデータとしては、少なくともローディング回数、上書き回数、エラーデータなどが挙げられる。ローディング回数はテープのリード・ライト数にほぼ比例するものであり、上書き回数はほぼライト回数に比例するからである。また、エラーデータはヘッドが正しくリード・ライトしていないことを表すものである。これらのシステムログデータを使用することによって適切なヘッドクリーニングタイミングを把握できる。クリーニングタイミングのほかに、何回連続して若しくは間欠的にクリーニングを行うべきかも判断できる。
【００５１】
ところで、カセット１にライトプロテクトノッチ１６が付いているときで、このノッチ１６をセットするとライトプロテクトモードとなるが、ライトプロテクトモードでも記録データをリードすることがある。そのため、システムログデータを用いてテープクリーニングを行う場合にあっては、ライトプロテクトモードであってもシステムログデータを更新する必要がある。そうでないとローディング回数が正確に反映されなくなり、テープクリーニングタイミングを正確に把握できなくなるからである。
【００５２】
そこで、この発明ではライトプロテクトモードであっても属性情報としてのシステムログデータについては、これを更新できるようにしたものである。
【００５３】
図４はＭＩＣ４を内蔵していないカセット１に適用した場合であって、カセット１が装置にセットされると自動的にテープローディング状態となり、図１に示すようなテープパスが形成される（ステップ５１）。次にライトプロテクトモードがチェックされ、対応ノッチ１６が元の位置にあるプロテクトがかかっていない状態のとき（ステップ５２）には、システムログデータがリードされて（ステップ５３）、そのデータがコントローラ１５内に格納される。
【００５４】
続いて、データの記録再生モードとなり、データのリード・ライトが行われる（ステップ５４）。データのリード・ライトが終了すると、このリード・ライトモード時の上書き回数、エラーがあったときはそのエラーログの内容さらにはローディング回数などのシステムログデータの更新が対応するパーティション内で行われて一連の処理が終了する（ステップ５５）。その後、アンローディング、カセット排出動作となる。
【００５５】
ライトプロテクトモードであったときには（ステップ５２）、まずシステムログエリアに対するライトプロテクトモードの解除処理が行われる（ステップ５６）。これはあくまでソフト的な処理であるので、その詳細な説明は省略する。モード解除処理によって解除フラグは「１」にセットされる。
【００５６】
この解除処理によってシステムログデータをリードできるようになると共に（ステップ５７）、テープ再生モードへの遷移によってデータエリアに対する処理となる（ステップ５８）。モード解除はシステムログエリアのみであるからテープ記録モードへは遷移できない。
【００５７】
データリードモードが終了するとローディング回数が更新されているために対応するパーティション内でのデータ更新（システムログデータの更新）が自動的に行われる（ステップ５９）。この処理はテープ上におけるシステムログエリア内のリライト処理である。このリライト処理が終了すると、解除フラグが「０」にリセットされて（ステップ６０）、一連の処理が終了する。
【００５８】
このようにソフト的にライトプロテクトモードを一部解除することによってシステムログデータの更新を行うことができる。
【００５９】
図５はＭＩＣ付きカセット１が装着されたときの処理例を示すもので、ローディング処理が終了すると、直ちにＭＩＣ４よりシステムログデータがリードされる（ステップ７１，７２）。このデータはコンロトーラ１５側に転送される。
【００６０】
次にノッチ１６の状態が判別され、ライトプロテクトモードが解除されているときには（ステップ７３）、通常の動作モードと同じくデータエリアに対するリード・ライト処理が行われると共に、上書き回数やエラー処理に応じて対応するシステムログデータが更新される（ステップ４７，７５）。この更新処理はカセットエジェクトモードとなされたときに行われるから、それまではコントローラ１５内のメモリに一時保存されている。
【００６１】
これに対して、ライトプロテクトモードがセットされているときには（ステップ７３）、データエリアに対するリード処理のみ実行可能状態で制御されると共に（ステップ７６）、どのパーティションのデータがリードされたかを監視し、その情報がコントローラ１５内のメモリに蓄えられる。そしてカセットイジェクトモードとなったとき、ＭＩＣ４をアクセスしてシステムログデータの更新（ローディング回数）がされる（ステップ７５）。
【００６２】
ヘッドのクリーニングを行うタイミングとしては、例えばテープの巻き戻し動作のときに行うことができる。クリーニング期間は０.１〜０.２秒位が適当である。
【００６３】
ヘッドクリーニングを行うときに使用される属性情報としては上述したシステムログデータの他にもそのトラックのデータがリードできたかどうかを示すシンボルエラーレート情報を併用しながらクリーニングローラを作動させるようにしてもよい。
【００６４】
【発明の効果】
このようにライトプロテクトモードがセットされている場合でも、本発明によればシステムログエリアに対するライトプロテクトモードが一時的に解除されるようにして、システムログデータに更新すべき内容が含まれているときには、そのデータを更新できるようにしたものである。
【００６５】
そのため、ライトプロテクトがかかっているカセットを使用したとしてもそのシステムログデータとしてはカセット使用状態を正確に反映したデータとなるから、このシステムログデータを用いればヘッドクリーニングタイミングを正しく決定できる。
【００６６】
その結果、適切なタイミングでヘッドクリーニングを実行できるようになって、エラーレートの削減、ヘッドの耐久性を大幅に改善できる。そのため、この発明はデータエラーの発生を極力避けねばならないテープストリーマ装置などに適用して極めて好適である。
【図面の簡単な説明】
【図１】この発明に係る磁気記録再生装置を、ヘッドクリーニング装置を内蔵したテープストリーマの要部の平面図である。
【図２】ヘッドクリーニング装置の概念図である。
【図３】その平面図である。
【図４】ＭＩＣのないカセットを使用してシステムログデータを更新する場合の一例を示すフローチャートである。
【図５】ＭＩＣ付きカセットを使用してシステムログデータを更新する場合の一例を示すフローチャートである。
【図６】ＭＩＣ付きカセットの平面図である。
【図７】その斜視図である。
【図８】記録再生処理系の一例を示すブロック図である。
【図９】データフォーマットの図である。
【符号の説明】
１・・・カセット、４・・・ＭＩＣ、１６・・・ノッチ、３０・・・ヘッドクリーニング装置
【図１】
0003921727.tif 000002
【図２】
0003921727.tif 000003
【図３】
0003921727.tif 000004
【図４】
0003921727.tif 000005
【図５】
0003921727.tif 000006
【図６】
0003921727.tif 000007
【図７】
0003921727.tif 000008
【図８】
0003921727.tif 000009
【図９】
0003921727.tif 000010